(57)【特許請求の範囲】
【請求項１】
尿を吸収する吸収体の外側がバックシートで被覆された紙おむつであって、
前記バックシートに、電子供与性呈色化合物からなる無色の発色剤を有するインジケータ部が備えられるとともに、
該インジケータ部の近傍に、３６℃±２℃の前記尿に含まれる水で賦活されて前記インジケータ部と接触することにより前記インジケータ部を発色させる発色助剤が備えられた
紙おむつ。
【請求項２】
前記インジケータ部が前記バックシートの吸収体側の面に塗布又は印刷により形成された
請求項１に記載の紙おむつ。
【請求項３】
前記発色助剤がシート材に塗布、印刷又は含浸されたのち乾燥されるとともに、該シート材が前記インジケータ部と吸収体の間に介在された
請求項１または請求項２に記載の紙おむつ。
【請求項４】
前記発色助剤が前記インジケータ部に隣接して塗布又は印刷された
請求項１または請求項２に記載の紙おむつ。
【請求項５】
前記発色助剤として粉末状のものが用いられ、前記吸収体に混入された
請求項１または請求項２に記載の紙おむつ。
【請求項６】
前記発色助剤として液状のものが用いられ、前記吸収体に含浸されたのち乾燥された
請求項１または請求項２に記載の紙おむつ。
【請求項７】
前記発色剤が、ローダミンＢラクタム、６・ジエチルアミノ・ベンゾ［ａ］フルオラン、３・ジエチルアミノ・ベンゾ［ａ］フルオラン、３・ジエチルアミノ・７，８・ベンゾフルオラン、９・ジエチルアミノ・ベンゾ［ａ］フルオラン、３・ジエチルアミノ・７・クロロフルオラン、３，３・ビス（１・ｎ・ブチル・２・メチル・インドイル・３）フタレート、３，３・ビス（１・エチル・２・メチル・インドイル・３）フタレート、３，６・ビス（ジエチルアミノ）フルオラン・γ・（４´・ニトロ）アニリノラクタム、３・ジエチルアミノ・６・メチル・７・クロロフルオラン、２・ブロム・３・メチル・６・ジブチルアミノフルオラン、１，３・ジメチル・６・ジエチルアミノフルオラン、１，３，３・トリメチル・インドリノ・７´・クロロ・β・ナフトスピロピラン、３・シクロヘキシルアミノ・６・クロロフルオラン、２・（フェニルイミノエタンジリデン）・３，３・トリメチルインドリン、Ｎ・アセチルオーラミン、Ｎ・フェニルオーラミン、２・｛２・［４・（ドデシルオキシ）・３・メトキシフェニル］・エテニル｝キノリン、マラカイトグリーンラクトン、３・ジエチルアミノ・７・ジベンゾイルアミノフルオラン、３・ジエチルアミノ・７・クロロアニリノフルオラン、３，６，５´・トリ（ジエチルアミノ）フルオレン・９・スピロ・１´・（３´・イソベンゾフラン）、２・Ｎ，Ｎ・ジベンジルアミノ・６・ジエチルアミノフルオラン、３・（Ｎ，Ｎ・ジエチルアミノ）・７・（Ｎ，Ｎ・ジベンジルアミノ）フルオラン、３・［２，２・ビス（１・エチル・２・メチルインドイル・３）ビニル］・３・（４・ジエチルアミノフェニル）・フタリド、３，３・ビス（４・ジエチルアミノ・２・エトキシフェニル）・４・アザフタライド、クリスタルバイオレットラクトン、エチルロイコメチレンブルー、メトキシベンゾイルロイコメチレンブルー、ジ・β・ナフトスピロピラン、３，３・ビス（４・ジエチルアミノフェニル）・６・ジエチルアミノフタリド、３・（４・ジエチルアミノ・２・エトキシフェニル）・３・（１・エチル・２・メチルインドイル・３）・４・アザフタリド、３・（４・ジエチルアミノフェニル）・３・（１・エチル・２・メチルインドイル・３）フタリド、３・シクロヘキシルメチルアミノ・６・メチル・７・アニリノフルオラン、３・ジエチルアミノ・６・メチル・７・アニリノフルオラン、３・ｎ・ジブチルアミノ・６・メチル・７・アニリノフルオラン、３・ジエチルアミノ・６・メチル・７・キリデノフルオラン、２・（２・クロロアニリノ）・６・ジエチルアミノフルオラン、２・（２・クロロアニリノ）・６・ジブチルアミノフルオラン、２・アニリノ・３・メチル・６・ジエチルアミノフルオラン、２・アニリノ・３・メチル・６・ジブチルアミノフルオラン、６・ジエチルアミノ・３・メチル・２・（３・トルイデノ）・フルオラン、６・ジエチルアミノ・３・メチル・２・（２，４・キリデノ）・フルオラン、６・ジエチルアミノ・３・メチル・２・（２，６・キリデノ）・フルオラン、商品名「Ｓ２０」［山本化成（株）製］、商品名「Ｒｅｄ８「［山本化成（株）製］、商品名「Ｒｅｄ４９」［山本化成（株）製］、商品名「Ｒｅｄ５２０」［山田化学工��（株）製］、商品名「Ｒｅｄ１００」［保土谷化学工業（株）製］、商品名「ＮＣ−Ｒｅｄ−４」［保土谷化学工業（株）製］、商品名「ＮＣ−Ｒｅｄ−６」［保土谷化学工業（株）製］、商品名「ＰＳＤ−ＨＰ」［日本曹達（株）製］、商品名「Ｏｒａｎｇｅ１００」［山田化学工業（株）製］、商品名「ロイコイエロー」［ロイコ社製］、商品名「Ｇｒｅｅｎ３００」［山田化学工業（株）製］、商品名「ＹＫ−ＡＴＰ」［山本化成（株）製］、商品名「Ｇｒｅｅｎ３００」［保土谷化学工業（株）製］、商品名「Ｂｌｕｅ２００」［保土谷化学工業（株）製］、商品名「ＣＶＬ．ｓｐ」［保土谷化学工業（株）製］、商品名「Ｓ２０５」［山田化学工業（株）製］、商品名「ＢＬＡＣＫ１００」［山田化学工業（株）製］のうちの少なくともいずれかを含むものである
請求項１から請求項４のうちのいずれか一項に記載の紙おむつ。
【請求項８】
前記発色助剤が、ポリフェノール、カテキン、タンニン、五倍子、没食子酸、没食子酸プロピル、柿タンニン（柿渋）、茶カテキン（茶タンニン）、茶ポリフェノール、リンゴタンニン、ぶどうタンニン、しそタンニン、しその実タンニン、カカオタンニン、カカオポリフェノール、アスコルビン酸、塩酸チアミン、アジピン酸、クエン酸、グリコール酸、こはく酸、酒石酸、セバシン酸、ソルビン酸、乳酸、フマル酸、リンゴ酸のうちの少なくともいずれかを含むものである
請求項１から請求項７のうちのいずれか一項に記載の紙おむつ。
【請求項９】
前記インジケータ部に界面活性剤が添加された
請求項１から請求項８のうちのいずれか一項に記載の紙おむつ。
【請求項１０】
前記インジケータ部が、前記バックシートにおける前記吸収体と接する部分に全体的に形成された
請求項１から請求項９のうちのいずれか一項に記載の紙おむつ。
【請求項１１】
前記インジケータ部が図形、模様又は文字のうちの少なくとも一つで形成された
請求項１から請求項１０のうちのいずれか一項に記載の紙おむつ。
【発明の詳細な説明】
【技術分野】
【０００１】
この発明は、インジケータ付きの紙おむつに関し、より詳しくは、安全性と実用性を兼ね備えた紙おむつに関する。
【背景技術】
【０００２】
紙おむつのインジケータとして、有色から別の色に変色するものがある（例えば下記特許文献１参照）。
【０００３】
このインジケータは、紙おむつのバックシートの内側面に、水不溶性の青色インクからなる着色層を設け、この着色層の上に、水溶性の黄色インクからなる変色層を重ねた構成である。つまり、尿で濡れる前は着色層の青色と変色層の黄色の組み合わせで緑色に見えるが、尿で濡れると変色層の黄色が溶けて退色し、全体として青色となる。この緑色から青色への変色で、尿がされたことを知らせるというものである。尿で溶けた黄色インクは、バックシートに覆われている吸収体に吸収される。
【０００４】
しかし、黄色インクのすべてが吸収体に速やかに吸収されるわけではなく、インジケータの周囲が滲んだようになって外観が汚くなる。このため、インジケータは、これまで、細い１本の線の形に形成されていた。
【０００５】
ところが、このような細い線からなるインジケータでは、特に尿の量が少ないときや排尿位置とインジケータ位置がずれているときなど、変色が明瞭に判断できないことがある。またインジケータの範囲が狭いので、インジケータの変色からは尿量の判断もつきにくく、不必要な交換をしたりする無駄もあった。
【０００６】
またインジケータとしては、変色するもののほか、下記特許文献２のように、発色するインクを用いることも提案されている。このインクは、インキバインダ、着色剤、ｐＨ調整剤、溶剤を含有するインクと顕色剤の組み合わせからなるもので、ｐＨ調整剤の作用で無色を呈する着色剤を、塩基性物質からなる顕色剤の働きで無色から有色に発色させるというものである。このインクからなるインジケータは、着色剤のラクトン環の開裂で色相を変化させるものであるので、インジケータが滲んで外観が汚くなることはない。
【０００７】
しかしながら、塩基性物質には、アンモニア、炭化水素ナトリウム、炭酸カルシウム、炭酸マグネシウム、ケイ酸アルミン酸マグネシウム、酸化マグネシウム、酸化カルシウム、水酸化カルシウム、水酸化マグネシウム、ケイ酸カルシウム、ケイ酸マグネシウム等が用いられるが、デリケートな嬰児への害がないように、その選択には十分な注意が必要である。また塩基性物質は、変色させる作用しか有しないうえに、同一の塩基性物質で多色の発色を期待することはできなかった。さらにインジケータの発色は瞬時になされるものではなく、数分を要するものであった。
【先行技術文献】
【特許文献】
【０００８】
【特許文献１】実開昭５９−８８４０５号公報
【特許文献２】特開２００５−１８５６４３号公報
【発明の概要】
【発明が解決しようとする課題】
【０００９】
そこで、この発明は、着用者に対する安全性確保は勿論のこと、付加価値も有し、カラフルな発色が可能で、検知が瞬時に行えるなどの実用的な面も充実させることを主な課題とする。
【課題を解決するための手段】
【００１０】
そのための手段は、尿を吸収する吸収体の外側がバックシートで被覆された紙おむつであって、前記バックシートに、電子供与性呈色化合物からなる無色の発色剤を有するインジケータ部が備えられるとともに、該インジケータ部の近傍に、３６℃±２℃の前記尿に含まれる水で賦活されて前記インジケータ部と接触することにより前記インジケータ部を発色させる発色助剤が備えられた紙おむつである。
【００１１】
前記バックシートにインジケータ部が備えられるとは、バックシートに対してインジケータ部が直接形成されることのほか、別体に形成されてバックシートに固定されること、バックシートに沿った状態に保持されることを含む意味である。
【００１２】
尿で発色助剤が濡れると、体温に近い温度の尿に含まれる水で発色助剤が溶けてインジケータ部に接触して、無色であったインジケータ部を発色させる。いわば尿に含まれる水を賦活剤としてインジケータ部を発色させる。無色を有色に発色させるので、排尿の有無を明確に判断できる。
【００１３】
前記インジケータ部は前記バックシートの吸収体側の面に塗布又は印刷により形成されるとよいが、少量の水分が透過するバックシートの場合には、バックシートの反吸収体側の面に塗布又は印刷により形成することができ、また、別体のシート材に形成してバックシートに添付することで形成することもできる。前者の場合には、バックシートを透かしてインジケータを見るのではなく、直接視認することができるので、発色状態を明瞭に確認することができる。
【００１４】
前記発色助剤はシート材に塗布、印刷又は含浸されたのち乾燥されるとともに、該シート材を前記インジケータ部と吸収体の間に介在されたものでも、前記インジケータ部に隣接して塗布又は印刷されたものでもよい。
【００１５】
前記発色助剤は、発色助剤として粉末状のものを用いて、前記吸収体に混入させて備えることもできる。前記発色助剤として液状のものを用いた場合には、前記吸収体に含浸させたのち乾燥されて備えることもできる。発色助剤を備えるのに別部材を必要としないので、製造が容易で、コストを抑えられる。
【００１６】
前記発色剤としては、ローダミンＢラクタム、６・ジエチルアミノ・ベンゾ［ａ］フルオラン、３・ジエチルアミノ・ベンゾ［ａ］フルオラン、３・ジエチルアミノ・７，８・ベンゾフルオラン、９・ジエチルアミノ・ベンゾ［ａ］フルオラン、３・ジエチルアミノ・７・クロロフルオラン、３，３・ビス（１・ｎ・ブチル・２・メチル・インドイル・３）フタレート、３，３・ビス（１・エチル・２・メチル・インドイル・３）フタレート、３，６・ビス（ジエチルアミノ）フルオラン・γ・（４´・ニトロ）アニリノラクタム、３・ジエチルアミノ・６・メチル・７・クロロフルオラン、２・ブロム・３・メチル・６・ジブチルアミノフルオラン、１，３・ジメチル・６・ジエチルアミノフルオラン、１，３，３・トリメチル・インドリノ・７´・クロロ・β・ナフトスピロピラン、３・シクロヘキシルアミノ・６・クロロフルオラン、２・（フェニルイミノエタンジリデン）・３，３・トリメチルインドリン、Ｎ・アセチルオーラミン、Ｎ・フェニルオーラミン、２・｛２・［４・（ドデシルオキシ）・３・メトキシフェニル］・エテニル｝キノリン、マラカイトグリーンラクトン、３・ジエチルアミノ・７・ジベンゾイルアミノフルオラン、３・ジエチルアミノ・７・クロロアニリノフルオラン、３，６，５´・トリ（ジエチルアミノ）フルオレン・９・スピロ・１´・（３´・イソベンゾフラン）、２・Ｎ，Ｎ・ジベンジルアミノ・６・ジエチルアミノフルオラン、３・（Ｎ，Ｎ・ジエチルアミノ）・７・（Ｎ，Ｎ・ジベンジルアミノ）フルオラン、３・［２，２・ビス（１・エチル・２・メチルインドイル・３）ビニル］・３・（４・ジエチルアミノフェニル）・フタリド、３，３・ビス（４・ジエチルアミノ・２・エトキシフェニル）・４・アザフタライド、クリスタルバイオレットラクトン、エチルロイコメチレンブルー、メトキシベンゾイルロイコメチレンブルー、ジ・β・ナフトスピロピラン、３，３・ビス（４・ジエチルアミノフェニル）・６・ジエチルアミノフタリド、３・（４・ジエチルアミノ・２・エトキシフェニル）・３・（１・エチル・２・メチルインドイル・３）・４・アザフタリド、３・（４・ジエチルアミノフェニル）・３・（１・エチル・２・メチルインドイル・３）フタリド、３・シクロヘキシルメチルアミノ・６・メチル・７・アニリノフルオラン、３・ジエチルアミノ・６・メチル・７・アニリノフルオラン、３・ｎ・ジブチルアミノ・６・メチル・７・アニリノフルオラン、３・ジエチルアミノ・６・メチル・７・キリデノフルオラン、２・（２・クロロアニリノ）・６・ジエチルアミノフルオラン、２・（２・クロロアニリノ）・６・ジブチルアミノフルオラン、２・アニリノ・３・メチル・６・ジエチルアミノフルオラン、２・アニリノ・３・メチル・６・ジブチルアミノフルオラン、６・ジエチルアミノ・３・メチル・２・（３・トルイデノ）・フルオラン、６・ジエチルアミノ・３・メチル・２・（２，４・キリデノ）・フルオラン、６・ジエチルアミノ・３・メチル・２・（２，６・キリデノ）・フルオラン、商品名「Ｓ２０」［山本化成（株）製］、商品名「Ｒｅｄ８「［山本化成（株）製］、商品名「Ｒｅｄ４９」［山本化成（株）製］、商品名「Ｒｅｄ５２０」［山田��学工業（株）製］、商品名「Ｒｅｄ１００」［保土谷化学工業（株）製］、商品名「ＮＣ−Ｒｅｄ−４」［保土谷化学工業（株）製］、商品名「ＮＣ−Ｒｅｄ−６」［保土谷化学工業（株）製］、商品名「ＰＳＤ−ＨＰ」［日本曹達（株）製］、商品名「Ｏｒａｎｇｅ１００」［山田化学工業（株）製］、商品名「ロイコイエロー」［ロイコ社製］、商品名「Ｇｒｅｅｎ３００」［山田化学工業（株）製］、商品名「ＹＫ−ＡＴＰ」［山本化成（株）製］、商品名「Ｇｒｅｅｎ３００」［保土谷化学工業（株）製］、商品名「Ｂｌｕｅ２００」［保土谷化学工業（株）製］、商品名「ＣＶＬ．ｓｐ」［保土谷化学工業（株）製］、商品名「Ｓ２０５」［山田化学工業（株）製］、商品名「ＢＬＡＣＫ１００」［山田化学工業（株）製］のうちの少なくともいずれかを含むものを使用できる。これにより、少なくもと赤、橙、黄、緑、青、黒と、例えば紫などのこれらの混合色を発色させることができる。
【００１７】
前記発色助剤には、ポリフェノール、カテキン、タンニン、五倍子、没食子酸、没食子酸プロピル、柿タンニン（柿渋）、茶カテキン（茶タンニン）、茶ポリフェノール、リンゴタンニン、ぶどうタンニン、しそタンニン、しその実タンニン、カカオタンニン、カカオポリフェノール、アスコルビン酸、塩酸チアミン、アジピン酸、クエン酸、グリコール酸、こはく酸、酒石酸、セバシン酸、ソルビン酸、乳酸、フマル酸、リンゴ酸のうちの少なくともいずれかを含むものを使用できる。ここで、前記ポリフェノールとは、様々な名称で呼ばれるカテキン、タンニン等のフラボノイドやフェノール酸などの意味であるである。いずれも人体に無害である上に、特にポリフェノールを用いた場合には、消臭等の効果も有する。またこれらを用いた場合には同一の発色助剤でも複数の発色が可能となる。
【００１８】
前記インジケータ部には界面活性剤が添加されるとよい。より迅速な発色が可能になる。
【００１９】
前記インジケータ部は、前記バックシートにおける前記吸収体と接する部分に全体的に形成されるとよい。少量の尿でも反応し、排尿位置とインジケータ部の位置がずれていても反応する上に、外観による尿量の推定も可能になる。
【００２０】
また前記インジケータ部は、図形、模様又は文字のうちの少なくとも一つで形成されるとよい。発色時に現れる図形等によって、着用者や介助者に対して面白さを演出することができる。
【発明の効果】
【００２１】
この発明によれば、無色から有色への発色によって排尿を知らせるので、外観による判断が容易である。しかも、呈色反応を起こさせる発色助剤として、排尿時の尿の温度で呈色反応を迅速に行うことを可能とし、かつ人体に無害なものを使用できるので、着用者に対する安全性確保は容易である。また、その発色助剤にポリフェノールのような消臭効果を有するものを使用すれば、尿などの消臭が期待できる上に、同一の発色助剤で発色する多色のインジケータを得ることも、排尿による瞬時の発色も可能で、実用性の高い紙おむつを得られる。
【図面の簡単な説明】
【００２２】
【図１】紙おむつの外側面を示す概略平面図。
【図２】紙おむつの断面構造を示す概略断面図。
【図３】紙おむつの他の断面構造を示す概略断面図。
【図４】紙おむつの他の断面構造を示す概略断面図。
【図５】紙おむつの他の断面構造を示す概略断面図。
【図６】作用状態を示す紙おむつの外側面を示す概略平面図。
【図７】他の例に係る紙おむつの外側面を示す概略平面図。
【図８】他の例に係る紙おむつの外側面を示す概略平面図。
【発明を実施するための形態】
【００２３】
この発明を実施するための一形態を、以下図面を用いて説明する。  
図１は、紙おむつ１１の外側面を示す展開図であり、図２はその断面構造を示す概略構成図である。
【００２４】
これらの図に示すように、紙おむつ１１は、透水性のトップシート１２と、非透水性のバックシート１３との間に吸収体１４を介在する構造である。つまり、尿（水）を吸収する前記吸収体１４の外側がバックシート１３で被覆されている。バックシート１３は光透過性を有する。またバックシート１３は、蒸れないようにするため、水分子は通過しないが蒸気は通過する微細な穴を無数に有する構造である。
【００２５】
このバックシート１３に、インジケータ部１５が備えられ、インジケータ部１５の近傍には発色助剤１６が備えられている。
【００２６】
前記インジケータ部１５は、電子供与性呈色化合物からなる無色の発色剤を有するもので、前記発色助剤が、前記吸収体１４に吸収される液体、すなわち尿、より具体的には３６℃前後の温度の尿によって溶けて前記インジケータ部１５と接触することにより前記インジケータ部１５を発色させるものである。
【００２７】
インジケータ部１５は、前記発色剤を含有したインクをバックシート１３の前記吸収体１４側の面に適宜の手段で塗布して形成される。インジケータ部１５の形成は、バックシート１３における前記吸収体１４と直接または間接的に接する部分である吸収体領域１３ａに、全体的に行われる。
【００２８】
図１の例では、インジケータ部１５は、縦なが長方形をなす前記吸収体領域１３ａに、隙間を隔てて平行に並ぶ直線状をなす複数本のインジケータ担体１５ａで構成される。インジケータ担体１５ａの太さや隙間、本数は適宜設定される。
【００２９】
インジケータ部を構成するインクは、無色であるのでインジケータ部１５を目視することはできない。このため図示においては、便宜上、破線で表している。このインクは、様々な色の前記発色剤と溶剤と界面活性剤を混合して得られる。前記のように複数本の線状のインジケータ担体１５ａからなるインジケータ部１５の場合には、インジケータ担体１５ａごとに色を変えると、カラフルな発色状態が得られるのでよい。
【００３０】
インジケータ部１５は、バックシート１３に対して直接塗布形成するほか、図３に示したように、例えば吸水性の適宜のシート材１７に塗布して、このシート材１７をバックシート１３に添付して形成することもできる。シート材１７におけるインク塗布面（インジケータ部１５形成面）をバックシート１３の吸収体１４側の面に当てて添付する。添付は、バックシート１３に接着して行っても、吸収体１４に対して固定して行っても、吸収体の固定によって間接的に保持して行ってもよい。
【００３１】
前記発色助剤１６は、前記インジケータ部１５とセットになるように紙おむつに備えられる。必ずしもインジケータ部１５と密着している必要はないが、反応の即応性のためにはなるべく近くに備えられるが好ましい。
【００３２】
図２の例では、発色助剤１６は、シート材１８に塗布（含浸）させて、このシート材１８をインジケータ部１５と吸収体１４の間に介在させて備えられている（図２参照）。つまり、発色助剤１６は溶剤によって液状に調製され、クレープ紙等の適宜の前記シート材１８に含浸されたのち乾燥されて、発色助剤シートとされている。
【００３３】
このほか、発色助剤１６は、図４に示したように、バックシート１３に塗布形成されたインジケータ部１５（インジケータ担体１５ａ）に隣接して塗布形成されることで備えることもでききる。
【００３４】
図５に示したように、適宜のシート材１９にインジケータ部１５と発色助剤１６を隣接して塗布して、このシート材１９のインジケータ部１５をバックシート１３に当てて保持してもよい。図示例では、発色助剤１６をシート材１９のインジケータ部１５と同一面に塗布形成したが、反対側の面に形成してもよい。
【００３５】
また、図示は省略するが、前記吸収体１４に発色助剤１６を含浸させて乾燥させたものを発色剤付き吸収体として備えることも、前記吸収体１４に粉末状の発色助剤１６を混入して保持させて備えることもできる。
【００３６】
前記のようにバックシート１３は、蒸れないようにするために微細な穴を無数に有しているが、インクの溶剤として、エタノールとＩＰＡだけを使用すると、バックシート１３の微細な穴が広がって、バックシート１３の吸収体１４側の面に塗布したインクが外側面に突き抜ける性質がある。このとき、水分子も若干通る。
【００３７】
一方、インクの溶剤として、エタノールとＩＰＡに加えて、酢酸エチル、酢酸メチルのいずれかを添加すると、バックシートの微細な穴が広がることはなく、インクが突き抜けない。
【００３８】
バックシート１３はこのような性質を有するので、インクの溶剤としてエタノールとＩＰＡだけを使用する場合には、図示はしないが、前記インジケータ部１５は、バックシート１３の外側面に形成することも可能である。
【００３９】
前記発色剤１６には、例えば次のようなものを使用できる。
【００４０】
赤色に発色するものを表１に示す。
【００４１】
【表１】
0005765962.tif 000002
橙色に発色するものを表２に示す。
【００４２】
【表２】
0005765962.tif 000003
黄色に発色するものを表３に示す。
【００４３】
【表３】
0005765962.tif 000004
緑色に発色するものを表４に示す。
【００４４】
【表４】
0005765962.tif 000005
青色に発色するものを表５に示す。
【００４５】
【表５】
0005765962.tif 000006
黒色に発色するものを表６に示す。
【００４６】
【表６】
0005765962.tif 000007
また、赤色に発色するもののうち商品名で特定されるものを表７に示す。
【００４７】
【表７】
0005765962.tif 000008
橙色に発色するもののうち商品名で特定されるものを表８に示す。
【００４８】
【表８】
0005765962.tif 000009
黄色に発色するもののうち商品名で特定されるものを表９に示す。
【００４９】
【表９】
0005765962.tif 000010
緑色に発色するもののうち商品名で特定されるものを表１０に示す。
【００５０】
【表１０】
0005765962.tif 000011
青色に発色するもののうち商品名で特定されるものを表１１に示す。
【００５１】
【表１１】
0005765962.tif 000012
黒色に発色するもののうち商品名で特定されるものを表１２に示す。
【００５２】
【表１２】
0005765962.tif 000013
前記溶剤としては、例えばエタノール、メタノール、ＩＰＡ、酢酸エチル、酢酸メチル、酢酸イソプロピル、酢酸ノルマルプロピン、酢酸ノルマルブチル、酢酸セロソルブ、酢酸イソブチル、ＤＭＦ（ジメチルホルムアミド）、アセトン、ＭＥＫ（メチルエチルケトン）、トルエン、キシレン、ノルマルプロパノール、イソブタノール、メチルセルソルブ、エチルセルソルブ、ノルマルブタノール、シクロヘキサン、ブチルセルソルブ、ＭＩＢＫ（メチルイソブチルケトン）などを使用することができ、これらを単独でまたは複数組み合わせて用いる。
【００５３】
安全性の観点からは、エタノール、ＩＰＡ、ＤＭＦ、酢酸エチル、酢酸メチルを使用するのが好ましい。
【００５４】
前記界面活性剤としては、アニオン系、カチオン系、ノニオン系又は両性界面活性剤があるが、電子供与性呈色化合物や発色助剤等の影響を受けにくいノニオン界面活性剤を用いるのが望ましい。
【００５５】
その例を表１３に示す。
【００５６】
【表１３】
0005765962.tif 000014
前記発色助剤としては、安全性の観点から、表１４に示したようなものを使用できる。
【００５７】
【表１４】
0005765962.tif 000015
前記のような構成の紙おむつの効果を確認するため、次のようなインジケータテストインク（表１５参照）と発色助剤テストインク（表１６参照）を調製し、実験（実験１〜実験９）を行った。
【００５８】
【表１５】
0005765962.tif 000016
【００５９】
【表１６】
0005765962.tif 000017
前記インジケータ部を構成するインジケータテストインクは、インクが吸収体１４側の面から裏（外側面）に抜けるＡタイプと、裏に抜けないＢ、Ｃタイプを調製した。また、Ａ、Ｂタイプは界面活性剤を含有しないが、Ｃタイプは界面活性剤を含有する。
【００６０】
Ａタイプのインジケータテストインクは溶剤として、エタノールを２８重量部、ＩＰＡを５０重量部、ＤＭＦを２０重量部とし、残りの２重量部を発色剤とするものである。
【００６１】
Ｂタイプのインジケータテストインクは、酢酸エチルを２５重量部、ＩＰＡを５３重量部、ＤＭＦを２０重量部、残りの２重量部を発色剤とする。
【００６２】
Ｃタイプのインジケータテストインクは、酢酸エチルを２５重量部、ＩＰＡを５０重量部、ＤＭＦを２０重量部、界面活性剤を３重量部、残りの２重量部を発色剤とするものである。
【００６３】
Ａ、Ｂ、Ｃいずれのタイプのインジケータテストインクも、発色剤として、赤、橙、緑、青、黒を含有したもの５種類を得た。このとき、赤としては前記発色剤のうち２番目の「６・ジエチルアミノ・ベンゾ［ａ］フルオラン」（表１参照）を、橙としては１２番目の「１，３・ジメチル・６・ジエチルアミノフルオラン」（表２参照）を、緑としては２６番目の「３，３・ビス（４・ジエチルアミノ・２・エトキシフェニル）・４・アザフタライド」（表４参照）を、青としては３１番目の「３，３・ビス（４・ジエチルアミノフェニル）・６・ジエチルアミノフタリド」（表５参照）を、黒として３４番目の「３・シクロヘキシルメチルアミノ・６・メチル・７・アニリノフルオラン」（表６参照）を用いた。
【００６４】
前記発色助剤を構成する発色助剤テストインクは、界面活性剤を含むＤタイプと、含まないＥタイプの２種類を得た。
【００６５】
Ｄタイプの発色助剤テストインクは、エタノール及びＩＰＡを９０重量部、発色助剤を７重量部、界面活性剤を３重量部含むものである。界面活性剤として、前記１０種類の界面活性剤を用いて１０種類の発色助剤テストインクを調製した。
【００６６】
Ｅタイプの発色助剤テストインクは、エタノール及びＩＰＡを９０重量部、発色助剤を１０重量部含むものである。
【００６７】
Ｄ、Ｅいずれの発色助剤テストインクも、発色助剤として前記発色助剤のうち３番目の、ポリフェノールの一種としての「没食子酸プロピル」を用いた。
【００６８】
（実験１）  
実験１は界面活性剤の意義を確認するためのもので、Ａタイプのインジケータテストインクを塗布してインジケータ部を形成したバックシートと、Ｂタイプのインジケータテストインクを塗布してインジケータ部を形成したバックシートに、それぞれ、Ｅタイプの発色助剤テストインクをクレープ紙に塗布して乾燥させた発色助剤テスト紙を重ねて、３６℃の水をかけて、直後に、鮮明な発色を得られるか否か判定した。
【００６９】
この結果、表１７のような結果が得られた。表において、「早い」とは、数秒足らずで即座に十分な発色をすることの意味で、「良い」は１分以内、「遅い」とは、数分以上（おおむね４〜５分）かかって発色をすることの意味である。また「濃い」とは目視により判断し、明らかに十分な発色が得られる状態であり、「良い」とは必要な発色が得られる状態、「薄い」は、「良い」よりは劣るが発色が容易に確認できる状態、「ごく薄い」は、十分な発色が得られない状態を意味する。以下、同じである。
【００７０】
【表１７】
0005765962.tif 000018
この結果、Ａ、Ｂいずれのインジケータテストインクのどの色においても、「薄い」もしくは「なし」という結果となり、鮮明な発色を得るためには、何らかの添加剤があるほうがよいということが確認できた。
【００７１】
（実験２）  
前記添加剤としての界面活性剤の効果を確認するための実験で、界面活性剤をインジケータテストインクに含有させて発色助剤に含ませない場合の効果を判断するために行った。
【００７２】
実験は、Ｃタイプのインジケータテストインクを塗布してインジケータ部を形成したバックシートに、Ｅタイプの発色助剤テストインクをクレープ紙に塗布して乾燥させた発色助剤テスト紙を重ねて、３６℃の水をかけて、直後に、鮮明な発色を得られるか否か判定した。発色助剤テスト紙は、界面活性剤の異なるもの１０種類を作成し、それぞれの違いも判断した。
【００７３】
この結果、表１８のような結果が得られた。界面活性剤と色の種類によって異なるが、発色結果は異なるものの、「なし」はなかった。つまり、すべての場合において発色が認められた。
【００７４】
【表１８】
0005765962.tif 000019
（実験３）  
前記添加剤としての界面活性剤の効果を確認するための実験で、界面活性剤を発色助剤に含有させてインジケータテストインクに含ませない場合の効果を判断するために行った。
【００７５】
実験は、Ａタイプのインジケータテストインクを塗布してインジケータ部を形成したバックシートと、Ｂタイプのインジケータテストインクを塗布してインジケータ部を形成したバックシートに、Ｄタイプの発色助剤テストインクをクレープ紙に塗布して乾燥させた発色助剤テスト紙を重ねて、３６℃の水をかけて、直後に、鮮明な発色を得られるか否か判定した。発色助剤テスト紙は、界面活性剤の異なるもの１０種類を作成し、それぞれの違いも判断した。
【００７６】
この結果、表１９のような結果が得られた。
【００７７】
【表１９】
0005765962.tif 000020
発色がなされないわけではないが、ごく薄くしか発色しない。
【００７８】
これら実験１〜実験３の結果から、即座に鮮明な発色を得るためには界面活性剤の添加があるほうがよく、より好ましくは、その界面活性剤はインジケータテストインクに含まれているほうがよいことが判った。つまり、インジケータテストインクとしては前記のＣタイプ（表１５参照）を用い、発色助剤テストインクとしては前記のＥタイプ（表１６参照）を用いるのが望ましい。
【００７９】
（実験４）  
実験４では、発色剤と発色助剤の違いによる発色状況を確認するための実験で、インジケータテストインクとして、酢酸エチルが２５重量部、ＩＰＡが４３重量部、ＤＭＦが２０重量部、界面活性剤が１０重量部、残りの２重量部が発色剤となるように調製したものを使用した。前記界面活性剤としては、前記ノニオン系界面活性剤の２番目の「ポリオキシエチレンジスチレン化フェニルエーテル、商品名「エマルゲンＡ６０  花王（株）製」」（表１３参照）を用いた。このインジケータテストインクを「Ｃ−１」と称する。
【００８０】
発色剤としては、前記６１種類の発色剤（表１〜表１２参照）をそれぞれ単独で混合して、６１種類のインジケータテストインクを得た。
【００８１】
それぞれのインジケータテストインクをバックシートに塗布して乾燥し、インジケータ部を備えた６１種類のバックシートを作成した。
【００８２】
発色助剤テストインクは、エタノールを３５重量部、ＩＰＡを４５重量部、発色助剤を２０重量部とする組成に調製した。このうち発色助剤は、前記の１５種類（表１４参照）をそれぞれ単独で混合して、１５種類の発色助剤テストインクを得た。この発色助剤テストインクを「Ｅ−１」と称する。
【００８３】
それぞれの発色助剤テストインクをクレープ紙に塗布して乾燥し、１５種類の発色助剤テスト紙を作成した。
【００８４】
実験は、６１種類のバックシートのインジケータ部に、１５種類の発色助剤テスト紙を重ねて、上から３６℃の水をかけて、直後に、鮮明な発色を得られるか否か判定した。
【００８５】
この結果、表２０〜表２５のような結果が得られた。
【００８６】
【表２０】
0005765962.tif 000021
【００８７】
【表２１】
0005765962.tif 000022
【００８８】
【表２２】
0005765962.tif 000023
【００８９】
【表２３】
0005765962.tif 000024
【００９０】
【表２４】
0005765962.tif 000025
【００９１】
【表２５】
0005765962.tif 000026
ばらつきはあるものの、全体としてみると、インジケータテストインクＣ−１において発色剤が赤では７番目の「３，３・ビス（１・ｎ・ブチル・２・メチル・インドイル・３）フタレート」（表１参照）を用いると比較的発色助剤の種類にかかわりなく良好な呈色反応が得られ、橙では１２番目の「１，３・ジメチル・６・ジエチルアミノフルオラン」（表２参照）を、緑では２６番目の「３，３・ビス（４・ジエチルアミノ・２・エトキシフェニル）・４・アザフタライド」（表４参照）を、青では３２番目の「３・（４・ジエチルアミノ・２・エトキシフェニル）・３・（１・エチル・２・メチルインドイル・３）・４・アザフタリド」（表５参照）を用いるのが好ましいことが判る。
【００９２】
また、発色助剤テストインクにおいては発色助剤が、１番目の「タンニン酸」と、２番目の「没食子酸」と、３番目の「没食子酸プロピル」と、７番目の「クエン酸」と、１０番目の「酒石酸」と、１５番目の「リンゴ酸」（表１４参照）を用いると、比較的広い範囲の発色剤を良好に発色させることができることがわかる。つまり、単一の発色助剤で複数色の発色剤を発色させることができる。
【００９３】
また、前記タンニン酸や没食子酸、没食子酸プロピルはポリフェノールであるので、排泄物の臭いを消す効果が期待できることが判る。抗菌作用も有する。さらに、発色助剤は溶けて作用するものであるが、ポリフェノールは自然由来である故に、安全である。
【００９４】
なお、予備的に、３６℃よりも高温の約８０℃の水を用いて同様の実験を行ったところ、表２０〜表２５では、「×」であった箇所でも良好な発色が確認できた。
【００９５】
（実験５）  
実験５では、実験４で好結果を示した赤、橙、緑、青の発色剤を用いたインジケータテストインクＣ−１と、同じく実験４で好結果を示した発色助剤テストインクＥ−１（１番目の「タンニン酸」、２番目の「没食子酸」、３番目の「没食子酸プロピル」、７番目の「クエン酸」、１０番目の「酒石酸」、１５番目の「リンゴ酸」（表１４参照））を用いて、インジケータテストインクの塗布をバックシートに対して、塗布の一例としてのグラビア印刷（版深２０μｍ）により行ってインジケータ部を形成した。また、混色が鮮明に発色するかどうかを確認するため、発色剤の赤と青を混ぜたインジケータテストインクＣ−１も調製した。
【００９６】
このバックシートの５種類のインジケータ部に、前記と同様に、前記６種類の発色助剤テスト紙を重ねて、上から３６℃の水をかけて、直後に、鮮明な発色を得られるか否か判定した。
【００９７】
この結果、表２６のような結果が得られた。
【００９８】
【表２６】
0005765962.tif 000027
グラビア印刷でもインジケータ部が形成できる上に、赤と青の混色の紫を含めて、ほとんどのインジケータテストインクＣ−１において良好な発色状態が得られることが確認できた。
【００９９】
（実験６）  
実験６では、発色助剤テスト紙ではなくて、発色助剤を吸収させた綿でも良好な発色状態が得られるか否かを確認するための実験で、実験５の場合と同様に、実験４で好結果を示した赤、橙、緑、青の発色剤を用いたインジケータテストインクＣ−１と、同じく実験４で好結果を示した発色助剤テストインクＥ−１（１番目の「タンニン酸」、２番目の「没食子酸」、３番目の「没食子酸プロピル」、７番目の「クエン酸」、１０番目の「酒石酸」、１５番目の「リンゴ酸」（表１４参照））を用いて、インジケータテストインクの塗布をバックシートに対してグラビア印刷により行ってインジケータ部を形成した。発色剤の赤と青を混ぜたインジケータテストインクＣ−１からなるインジケータ部も得た。
【０１００】
発色助剤は吸水綿に吸収（含浸）させて乾燥する。発色助剤が吸収された吸水綿を、前記６種類の発色助剤テスト紙に重ねて、上から３６℃の水をかけて、直後に、鮮明な発色を得られるか否か判定した。
【０１０１】
この結果、表２７のような結果が得られた。
【０１０２】
【表２７】
0005765962.tif 000028
実験５の結果より劣る部分はあるが、全体として同様の発色状態が得られた。
【０１０３】
あわせて、粉末状の発色助剤を吸収体に混入して同様の実験も行ったが、結果は表２７と同様であった。
【０１０４】
この結果から、発色助剤を直接混入しても設けても効果があることが分かる。
【０１０５】
（実験７）  
実験７では、版深さと液量による発色状態の違いを確認するとともに、実際の尿による呈色反応をみる実験を行った。インジケータテストインクＣ−１には、実験５と同様に、赤、橙、緑、青、紫を用いた。バックシートに対するグラビア印刷は、版深を２０μｍ、１８μｍ、１６μｍ、１４μｍの４種類の版を用いて行い、厚さのことなるインジケータ部を得た。インジケータ部は、図１に示したように、前記吸収体領域に対して全体的に形成した。
【０１０６】
発色助剤には、実験４で好結果を示したもののうち１番目の「タンニン酸」と３番目の「没食子酸プロピル」（表１４参照）を混合したものを調製して発色助剤テスト紙を得た。このとき、発色助剤テストインクの組成は、エタノールが３５重量部、ＩＰＡが４５重量部、タンニン酸が１０重量部、没食子酸プロピルが１０重量部である。
【０１０７】
実験は、各色４種類のバックシートのインジケータ部に前記発色助剤テスト紙を重ねて、市販の紙おむつのバックシート部分に装着し、上から３６℃の尿をかけて、直後に、鮮明な発色を得られるか否か判定した。かける尿の量は、３０ｃｃ、５０ｃｃ、７０ｃｃ、９０ｃｃの４種類とした。
【０１０８】
この結果、表２８に示したような結果が得られた。
【０１０９】
【表２８】
0005765962.tif 000029
すべての場合において鮮明な発色が得られた。発色状態を図示すると図６に示したような状態である。図６において発色部分にあらわした模様は、色の違いを示している。
【０１１０】
発色後そのまま放置して観察したところ、１日経過後も２日経過後も、発色した各色は褪せることはなく、鮮明な発色状態が持続していた。さらに、注いだ尿の量が多いほど、発色の範囲が広かった。
【０１１１】
この結果から、インジケータ部の厚さにかかわりなく良好な発色状態が得られること、実際の尿によっても迅速で明瞭な呈色反応が起こること、複数種類の発色助剤を混合すると効果的であること、一度発色すると容易には退色しないこと、尿量が少なくても発色すること、尿量が応じた発色範囲となることが分かる。
【０１１２】
（実験８）  
実験８では、グラビア印刷に代えて塗布の一例としてのフレキソ印刷でも、効果が得られるか否かを確認する実験をした。
【０１１３】
実験は、実験７と同様に行った。相違点は、インジケータ部の厚さが一定であることだけである。
【０１１４】
この結果、表２９に示したような結果が得られた。
【０１１５】
【表２９】
0005765962.tif 000030
フレキソ印刷でもインジケータ部を形成できることが確認でき、すべての場合において鮮明な発色が得られ、発色に問題はないことが分かる。
【０１１６】
（実験９）  
実験９では、インクが裏に抜けるタイプのインジケータテストインクと、インクが裏に抜けないタイプのインジケータインクとの発色状況の違いを示す実験を行った。
【０１１７】
インジケータテストインキは、表３０のようなものを用いた。
【０１１８】
【表３０】
0005765962.tif 000031
インクが裏に抜けるタイプのインジケータテストインクとして、前記Ａタイプのインジケータテストインク（表１５参照）と同様に、エタノール、ＩＰＡ、ＤＭＦの溶剤を含有するインクを調整した。前記の実験１〜実験３の結果から界面活性剤も含んでいる。
【０１１９】
組成はエタノールが２５重量部、ＩＰＡが４３重量部、ＤＭＦが２０重量部、界面活性剤が１０重量部、発色剤が２重量部である。発色剤には、実験４で好結果を得られた緑と青を用いた。このインジケータテストインクを「Ａ−２」と称する。
【０１２０】
インクが裏に抜けないタイプのインジケータテストインクとして、前記Ｂ、Ｃタイプのインジケータテストインク（表１５参照）と同様に、バックシートの微細孔を拡大する溶剤を混合したものを使用した。この場合も、界面活性剤を含んでいる。
【０１２１】
前記Ｂタイプに類似するものとして、酢酸メチルが２５重量部、ＩＰＡが４３重量部、ＤＭＦが２０重量部、界面活性剤が１０重量部で、残る２重量部が発色剤のインジケータテストインクを得た。このインジケータテストインクを「Ｂ−２」と称する。
【０１２２】
前記Ｃタイプに類似するものとして、酢酸エチルが２５重量部、ＩＰＡが４３重量部、ＤＭＦが２０重量部、界面活性剤が１０重量部で、残る２重量部が発色剤のインジケータテストインクを得た。このインジケータテストインクを「Ｃ−２」と称する。
【０１２３】
インジケータテストインクＡ−２，Ｂ−２では、緑と青の２色のインクを得たが、インジケータテストインクＣ−２では、緑と青のほかに赤と橙の４色のインクを得た。
【０１２４】
実験は、インジケータテストインクＡ−２，Ｂ−２，Ｃ−２をそれぞれバックシートに塗布してインジケータ部を作成した。インジケータ部は、前記吸収体領域に対して全体的に形成した。
【０１２５】
発色助剤には、実験４で好結果を示したもののうち１番目の「タンニン酸」と３番目の「没食子酸プロピル」（表１４参照）を混合したものを調製して発色助剤テスト紙を得た。このとき、発色助剤テストインクの組成は、エタノールが３５重量部、ＩＰＡが４５重量部、タンニン酸が１０重量部、没食子酸プロピルが１０重量部である。
【０１２６】
実験は、各インク各色のバックシートのインジケータ部に前記発色助剤テスト紙を重ねて、市販の紙おむつのバックシート部分に装着し、上から３６℃の水をかけて、直後に、鮮明な発色を得られるか否か判定した。
【０１２７】
その結果、すべてのインジケータテストインクＡ−２，Ｂ−２，Ｃ−２からなるインジケータ部において、良好な発色が確認できた。特に、インジケータテストインクＡ−２からなるインジケータ部では、発色が鮮明で、発色部分の輪郭が明瞭に見えた。しかし、水が若干透過した。
【０１２８】
一方、インジケータテストインクＢ−２，Ｃ−２からなるインジケータ部では、水の透過はないものの、発色がバックシートを透かして見えるので、使用に際してまったく支障はないものの、美麗さの点でインジケータテストインクＡ−２からなるインジケータ部よりもやや劣るように思われた。
【０１２９】
この結果から、発色状態の明瞭さを求めるのならばインジケータ部を構成するインクに酢酸エチル又は酢酸メチルを混入しなければよく、漏れないことに主眼を置くならば、インジケータ部を構成するインクに酢酸エチル又は酢酸メチルを混入すればよいことが判る。
【０１３０】
以上のような構成の紙おむつによれば、排泄された尿により発色助剤が溶けて、溶けた発色助剤がインジケータ部に接触して呈色反応により無色であったインジケータ部が即座に発色する。そして、発色状態はすぐに消えることはないので、誤認を防止することもできる。
【０１３１】
無色から有色になるので、排尿があったか否かの判定をはっきりとすることができる。しかもインジケータ部に滲みはなく鮮明で美麗な発色状態が得られるので、広範囲にインジケータ部を設けることができる。また、尿量が僅かでも反応するので、現状の認識がより的確に行え、適切は判断を促せる。
【０１３２】
広範囲にインジケータ部を備えることが可能であるため、排尿時に現れるデザインとして、インジケータ部を設けることができ、これまでにない斬新なインジケータ部を得られる。しかも、発色範囲よって尿量を推定できるので、適切な対応が可能で、無駄の防止も図れる。
【０１３３】
また、呈色反応のために溶ける発色助剤には、ポリフェノール等の多くの安全な物質を使用することができるので、選択は容易であり、安全性確保に資する。しかも、それらは単独、又は複数種類を組み合わせて使用され、単一の発色助剤で複数色の発色剤の呈色反応を可能にするので、これまで単色でしか得られなかったインジケータ機能を、多色にすることができる。このため、見て楽しい紙おむつとすることができ、着用者にとってはもちろんのこと、介助者にとっても苦のない作業とすることができる。
【０１３４】
図７、図８は、見て楽しく、尿量の推定も可能なインジケータ部を備えた紙おむつの例を示す展開状態の平面図である。図７の紙おむつは、インジケータ部に適宜のキャラクタの図形を表した例である。図形は、赤、黄、黒など多色で描くことができる。
【０１３５】
図８の紙おむつは、インジケータ部に模様と文字をあらわした例である。この場合も、多色で描くことができる。
【０１３６】
以上、この発明を実施するための一形態を説明したが、この発明は前記の構成のみに限定されるものではなく、その他の構成を採用することもできる。
【０１３７】
例えば、インジケータ部は多色ではなく単色で発色するようにしてもよい。
【０１３８】
またインジケータ部は、必ずしも広範囲に備えなくてもよく、吸収体領域を超えて備えてもよい。
【０１３９】
さらにインジケータ部は、発色したときに、排尿前に目視できる模様と組み合わさって特定の図形等になるように構成してもよい。
【符号の説明】
【０１４０】
１１…紙おむつ
１３…バックシート
１３ａ…吸収体領域
１４…吸収体
１５…インジケータ部
１６…発色助剤
１８…シート材
【図１】
0005765962.tif 000032
【図２】
0005765962.tif 000033
【図３】
0005765962.tif 000034
【図４】
0005765962.tif 000035
【図５】
0005765962.tif 000036
【図６】
0005765962.tif 000037
【図７】
0005765962.tif 000038
【図８】
0005765962.tif 000039